(57)【要約】  エアクリーナは、汚い空気の取入口（２０）ときれいな空気の出口と内部とを含むハウジング（１２）を含む。多孔板（２８）は、複数の開口（３０）を有する前記ハウジングの内部に配置されている。パネル型フィルタ構成物は、前記多孔板の複数の開口の各開口がパネル型フィルタ構成物によってふさぐように配列されている。複数の吹出管（４０）が提供される。複数の吹出管の各吹出管は前記パネル型フィルタ構成物によってふさがれた前記多孔板（２８）の複数の開口（３０）の各開口に流体パルスを送出するように配列されている。アキュムレータ構成物は、前記多孔板の下流側に前記多孔板の複数の開口に隣接して配列されている。前記アキュムレータ構成物は、前記多孔板の各開口に対し、前記多孔板の開口の対向する端部に隣接する第１プレートと第２プレート（４４）とを含む。前記多孔板の隣接する開口が同じ第１プレートと第２プレートとを共有している。好ましくは、各吹出管は、前記パネル型フィルタ構成物によってふさがれた前記多孔板の複数の開口の各開口に流体パルスをある角度で送出するように配列されている。前記ある角度は、前記多孔板の複数の開口面に垂直でなく、かつ前記パネル型フィルタ構成物を通過するろ過流の通常の方向と一直線でない角度である。
2010511496.tif 000002
【特許請求の範囲】
【請求項１】
（ａ）汚い空気の取入口ときれいな空気の出口と内部とを含むハウジングと、
（ｂ）複数の開口を有する前記ハウジングの内部にある多孔板と、
（ｃ）前記多孔板の複数の開口の各開口をふさぐように配列されているパネル型フィルタ構成物と、
（ｄ）複数の吹出管の各吹出管が、前記パネル型フィルタ構成物によってふさがれている前記多孔板の複数の開口の各開口に流体パルスを送出するように配列されている、前記複数の吹出管と、
（ｅ）前記多孔板の下流側に前記多孔板の複数の開口に隣接して配列されたアキュムレータ構成物と、を有し、
前記アキュムレータ構成物は、
（i）前記多孔板の各開口に対して、前記多孔板の開口の対向する端部に隣接する第１および第２プレートを含み、
（Ａ）前記多孔板の隣接する開口は、同じ第１プレートまたは第２プレートを共有していることを特徴とするエアクリーナ。
【請求項２】
（ａ）各吹出管は、前記パネル型フィルタ構成物によってふさがれた前記多孔板の複数の開口の各開口に流体パルスをある角度で送出するように配列されており、前記ある角度は、
（i）前記多孔板の複数の開口面に垂直でなく、
（ii）前記パネル型フィルタ構成物を通過するろ過流の通常の方向と一直線でない角度であることを特徴とする請求項１に記載のエアクリーナ。
【請求項３】
（ａ）前記第１プレートは、前記多孔板に対して第１角度で取り付けられており、前記第１角度は前記流体パルスの方向の中心線から約８５°以内であり、
（ｂ）前記第２プレートは、前記多孔板に対して第２角度で取り付けられており、前記第２角度は前記流体パルスの方向の中心線から約８５°以内であることを特徴とする請求項１に記載のエアクリーナ。
【請求項４】
（ａ）前記第１角度および前記第２角度は、等しいことを特徴とする請求項３に記載のエアクリーナ。
【請求項５】
（ａ）前記第１角度および前記第２角度は、等しくないことを特徴とする請求項３に記載のエアクリーナ。
【請求項６】
（ａ）前記第１角度および前記第２角度は、約８５°以内であり、互いに平行であることを特徴とする請求項３に記載のエアクリーナ。
【請求項７】
（ａ）前記パネル型フィルタ構成物は、前記多孔板の複数の開口のうちの１つの開口にそれぞれ取り付けられている複数の独立したパネル型フィルタを含むことを特徴とする請求項１に記載のエアクリーナ。
【請求項８】
（ａ）前記独立したパネル型フィルタは、ひだ付き媒体、ゼー媒体、デプス媒体、ＨＥＰＡ媒体、または、ミニＶ型パックのうちの少なくとも１つを含むことを特徴とする請求項７に記載のエアクリーナ。
【請求項９】
多孔板の複数の開口をふさぐように配列されているパネル型フィルタ構成物をパルス洗浄する方法であって、
（ａ）多孔板の複数の開口に流体パルスを送出する送出工程と、
（ｂ）前記多孔板のきれいな空気側で、かつ前記多孔板の複数の開口の各開口の対向する端部に隣接して配列された第１および第２プレートを使用して、前記流体パルスの少なくとも一部を捕集する捕集工程であって、
（i）前記多孔板の隣接する複数の開口が、同じ第１プレートまたは第２プレートを共有する、前記捕集工程と、
を有することを特徴とする方法。
【請求項１０】
（ａ）前記送出工程は、前記多孔板の複数の開口の各開口に流体パルスをある角度で送出する工程を含み、前記ある角度は、
（i）前記多孔板の複数の開口がある平面に垂直でなく、かつ
（ii）前記パネル型フィルタ構成物を通過するろ過流の通常の方向と一直線でない角度であることを特徴とする請求項９に記載の方法。
【請求項１１】
（ａ）前記送出工程は、前記パネル型フィルタ構成物に流体パルスを送出する工程を含み、前記パネル型フィルタ構成物は、前記多孔板の各開口に配列された複数の独立したパネル型フィルタを含むことを特徴とする請求項９に記載の方法。
【請求項１２】
（ａ）前記送出工程は、ひだ付き媒体、ゼー媒体、デプス媒体、ＨＥＰＡ媒体またはミニＶ型媒体のうちの１つを含む前記パネル型フィルタに流体パルスを送出する工程を含むことを特徴とする請求項１１に記載の方法。
【発明の詳細な説明】
【技術分野】
【０００１】
本開示は、加圧ガス発生器を利用してフィルタエレメントをパルス洗浄するための方法に関する。また、本開示は、エアクリーナ、ダストフィルタ、およびパルス洗浄技術を含む装置に関する。
【背景技術】
【０００２】
関連出願への相互参照
本出願は、米国以外の全ての国を指定国とする出願人である米国国内企業であるドナルドソン会社と、米国のみを指定国とする出願人である米国人であるトーマスデー．リーザーとの名において、国際特許出願として２００７年１１月２９日に出願されたものであり、２００６年１１月３０日出願された米国仮特許出願第６０/８６７,８４４号の優先権を主張するものであり、その内容は本明細書中に引用により合体される。
【０００３】
背景技術
エアクリーナまたはダストコレクタ（集塵機）デバイスは、弁および加圧タンク（リザーバ）からバックフラッシュフィルタまで排ガスを時々使用する。そのようなエアフィルタアセンブリの例が、例えば、米国特許第６,０９０,１７３号公報、米国特許第４,２１８,２２７号公報、米国特許第４,３９５,２６９号公報、米国特許第５,９８０,５９８号公報、米国特許第６,３２２,６１８号公報、独国特許第３９０５１１３号公報、および米国特許出願公開第２００６/０１１２６６７号に開示されており、これらの特許明細書のそれぞれは、引用により本明細書に合体する。
【先行技術文献】
【特許文献】
【０００４】
【特許文献１】米国特許第６,０９０,１７３号公報
【特許文献２】米国特許第４,２１８,２２７号公報
【特許文献３】米国特許第４,３９５,２６９号公報
【特許文献４】米国特許第５,９８０,５９８号公報
【特許文献５】米国特許第６,３２２,６１８号公報
【特許文献６】独国特許第３９０５１１３号公報
【特許文献７】米国特許出願公開第２００６/０１１２６６７号公報
【発明の概要】
【発明が解決しようとする課題】
【０００５】
これらのフィルタを効果的に洗浄するには、排気噴流が洗浄すべきフィルタの開口を満たす必要がある。多くの実施において、フィルタの開口は、フィルタが取り付けられている多孔板の開口に対応している。フィルタをパルス洗浄するための改良が望まれている。
【課題を解決するための手段】
【０００６】
要約
エアクリーナは、汚い空気の取入口ときれいな空気の出口と内部とを含むハウジングを含む。多孔板は、複数の開口を有する前記ハウジングの内部に配置されている。パネル型フィルタ構成物は、前記多孔板の複数の開口の各開口がパネル型フィルタ構成物によってふさがれるように配列されている。複数の吹出管が提供される。複数の吹出管の各吹出管は前記パネル型フィルタ構成物によってふさがれた前記多孔板の複数の開口の各開口に流体パルスを送出するように配列されている。アキュムレータ構成物は、前記多孔板の下流側に前記多孔板の複数の開口に隣接して配列されている。前記アキュムレータ構成物は、前記多孔板の各開口に対し、前記多孔板の開口の対向する端部に隣接する第１および第２プレートを含む。前記多孔板の隣接する開口が同じ第１プレートまたは第２プレートを共有している。
【０００７】
好ましくは、各吹出管が前記パネル型フィルタ構成物によってふさがれた前記多孔板の複数の開口の各開口に流体パルスをある角度で送出するように配列されており、前記ある角度は、（i）前記多孔板の複数の開口面に垂直でなく、かつ（ii）前記パネル型フィルタ構成物を通過するろ過流の通常の方向と一直線でない角度である。
【０００８】
多孔板の複数の開口をふさぐように配列されているパネル型フィルタ構成物をパルス洗浄する方法が提供される。この方法は、多孔板の複数の開口に流体パルスを送出する送出工程と、前記多孔板のきれいな空気側部上でかつ前記多孔板の複数の開口の各開口に対向する端部に隣接して配列された第１プレートと第２プレートとを使用して前記流体パルスの少なくとも一部を捕集する捕集工程を含む。前記多孔板の隣接する複数の開口が同じ第１プレートまたは第２プレートを共有する。
【０００９】
好ましくは、前記送出工程は、前記多孔板の複数の開口の各開口に流体パルスをある角度で送出する工程を含み、前記ある角度は、（i）前記多孔板の複数の開口面に垂直でなく、かつ（ii）前記パネル型フィルタ構成物を通過するろ過流の通常の方向と一直線でない角度である。
【図面の簡単な説明】
【００１０】
【図１】本開示の原理を利用するエアフィルタシステムの１つの実施例の部分的に破断された側面図である。
【図２】本開示の原理を示す概略的な側面図である。
【図３】本開示の原理を示す概略図である。
【図４】本開示の原理を示す概略図である。
【図５】本開示の原理を示す概略図ある。
【図６】本開示の原理を示す概略図である。
【図７】本開示の原理を示す概略図である。
【図８】本開示の原理を示す概要的な斜視図である。
【図９】本開示の原理を示す概略図である。
【図１０】本開示の原理を示す概略図である。
【図１１】本開示の原理を示す概略図である。
【図１２】本開示の原理を示す概略図である。
【図１３】本開示の原理を示す概略図である。
【図１４】本開示の原理を示す概略図である。
【発明を実施するための形態】
【００１１】
ダストフィルタまたはエアクリーナシステムは、図１の符号１０で一般的に示されている。図示されたエアクリーナシステムは、アセンブリの様々な部分の構成物を示すために破断した側壁パネル１７を有するハウジング１２を含んでいる。上側壁パネル１６は、内壁表面１９を有する。この実施例では、空気の取入口２０は、上側壁パネル１６中に配置され、微粒子を含む空気または他の流体が濾過されていない（汚い）流体チャンバ室２２中に導入される。濾過されていない流体チャンバ室２２は、点検蓋１３、上側壁パネル１６、対向する側壁パネル１７、多孔板２８、収集領域またはホッパー２５を部分的に画定する底部表面２３によって画定される。底部基部パネルまたはフレーム２６は、適切な方法で側壁パネル１７に固定される。
【００１２】
上記説明したように、多孔板２８はハウジング１２の内部に取り付けられている。多孔板２８は複数の開口３０を含んでいる。独立したフィルタエレメントは、各開口３０内に取り付けられており、例示の実施例では、フィルタエレメントはパネル型フィルタエレメント３２である。用語「パネル型フィルタエレメント」は、一般に、濾過すべき流体が完全にまっすぐな流れでフィルタエレメントを通過して流れるフィルタ媒体を有するエレメントを意味する。例えば、パネル型フィルタエレメントは、ひだ付き媒体、深さ媒体、縦溝流路付き媒体、ゼー（zee）媒体、またはミニＶ型パックであり得る。「Ｚ型媒体」によって、複数の縦溝流路を有する、第１流れ面と対向する第２流れ面を有する媒体を意味し、複数の縦溝流路の各縦溝流路が、第１流れ面に隣接する上流部分と、第２流れ面に隣接する下流部分を有し、複数の縦溝流路のうちの選択された縦溝流路は上流部分で開いていて下流部分で閉じているが、複数の縦溝流路のうちの選択された縦溝流路は上流部分で閉じていて下流部分で開いている。縦溝流路は、まっすぐか、テーパ状となっているか、または矢形であり得る。Ｚ型媒体を有するフィルタエレメントの例は、例えば、米国特許第５,８２０,６４６号、米国特許出願公開第２００３/０１２１８４５号、米国特許番号６,３５０,２９１号に記載されており、これらの特許明細書のそれぞれは、引用により本明細書に合体される。
【００１３】
操作中、濾過されるべき空気などの流体は、空気の取入口２０を通ってエアクリーナシステム１０中に流れる。流体は、そこからフィルタエレメント３２を通って流れる。フィルタエレメント３２は流体から微粒子物質を除去する。次に、濾過された流体は、きれいな空気あるいは濾過された流体チャンバ室１５に入って流れる。きれいな空気はそこから出口３４を通って流れる。定期的に、フィルタエレメント３２は、フィルタエレメント３２の下流側３６からフィルタエレメント３２の上流側３８まで空気噴流などの流体噴流（fluid jet）によって洗浄される。特に、加圧ガスの噴流は、各フィルタエレメント３２のために配向している各吹出管（blow pipe）４０を通って送出される。このことは、下流側３６からフィルタエレメント３２の上流側３８まで各フィルタエレメント３２を通って噴流を送出する。このことは、フィルタエレメント３２の上流側３８からくずと微粒子をフィルタエレメント３２の外に押し出してホッパーに送出するのを助ける。
【００１４】
図２にエアクリーナシステム１０の一部の概略的な図を示す。図２では、吹出管４０は、多孔板２８中の開口３０中のフィルタエレメント３２の１つに対して配向されている。図２では、吹出管４０は、各フィルタエレメント３２に対して多孔板２８中の各開口３０を含む平面６０（図３）中のフィルタエレメント３２に対して、吹出管４０から出てくる１パルスが開口３０の平面に直角でなくかつフィルタエレメント３２を通るろ過流の通常の方向と一直線でない角度で配向されていることを理解することができる。用語「垂直でない」は、各フィルタエレメント３２に対して、開口３０を含む平面６０に鋭角または鈍角などの非直交であることを意味する。「ろ過流の通常の方向と一直線でない」は、真っ直ぐにフィルタを通過する流れに対して、パルス流れがフィルタエレメント３２を通過する方向の流れに平行でない方向に流れることを意味する。そのような角度６４で流体パルスをフィルタエレメント３２に送出することによって、予測できる角度で広がる排気噴流は、先行技術で通常使用される直径Ｄ１よりもある方向に大きい直径Ｄ２（図３）を生成する。
【００１５】
例示の実施例は、単一フィルタエレメント３２に対応する単一吹出管４０のみを示すが、多くの実施において、各フィルタエレメント３２に対して２つ以上の吹出管４０があることが理解される。
【００１６】
好適な実施例では、パルスの少なくとも一部は、アキュムレータ構成物４２を使用することによって捕集される。アキュムレータ構成物４２は、吹出管４０からのパルス流れを捕集する。１つの実施例では、アキュムレータ構成物４２は、多孔板２８のきれいな空気側１５上でかつ多孔板２８の開口に隣接して配向される第１プレート４４として示される少なくとも１つのプレートを含む。第１プレート４４は、各フィルタエレメント３２に対して多孔板２８中の隣接する各開口に配向されるあらゆる種類の壁、薄鋼板、パネル、バッフル、硬質プラスチック、または一般的に孔の無い固体構造であり得る。
【００１７】
ある実施例では、アキュムレータ構成物は、第１プレート４４から多孔板２８の開口３０の対向端部に配向された第２プレート４６を含んでいる。示された実施例では、第１プレート４４と第２プレート４６は、パルスの通常の方向と並ぶ方向であるが、角度は、必ずしもパルス方向の角度と同じである必要はない。図２は４８でパルス方向の中心線を示す。第１プレートは、多孔板２８に対して第１角度５０で取り付けられている。第１角度５０は、パルス方向の中心線４８の約５°以内である。同様に、第２プレート４６は、多孔板２８に対して第２角度５２で取り付けられている。第２角度５２は、パルス方向の中心線４８の約５°以内である。いくつかの実施例では、第１角度５０と第２角度５２は等しい。他の実施例では、第１角度５０と第２角度５２は等しくない。いくつかの実施例では、第１角度５０と第２角度５２は３０°以内であり、互いに平行である。プレート４４の角度５０、プレート４６の角度５２は、パルスの角度６４に基づいて選択される。
【００１８】
図２に示すように、第１プレート４４は長さＬ１を有し、長さＬ１は、多孔板２８の各開口３０の長さの３倍未満である。この理由は、長さの増加とともに主要流れの圧力損失が増えるからである。好ましくは、長さＬ１は、多孔板２８中の各開口３０の長さの２５〜７５％の長さを有する。好適な実施例では、吹出管４０は、パルスを吐出するために多孔板から吹出管の内径の３０〜４０倍未満の距離に配置されている。
【００１９】
図２では、符号７２は、パルス中心線４８とフィルタエレメント３２の中心との間のオフセット（ずれ）を示している。これは、パルスの中心線４８がいつもフィルタエレメント３２の中心と一直線でないことを示している。
【００２０】
ある実施例では、各吹出管４０（例示の実施例では第２プレート４６）の近くにあるプレートは、他のプレート（この例では第１プレート４４）より短い長さを有する。ある実施例では、この短いプレート４６は、多孔板２８の各開口３０の長さの少なくとも５％の長さを有する。この構成は、材料の倹約と空気流れのポンプ輸送に関連する圧力損失の両方に対して利点を有する。
【００２１】
ここで図３を注目する。図３では、矢印６２は先行技術のパルス方向を示している。先行技術では、標準のパルス方向は、多孔板２８を含む平面６０に垂直または直角の方向である。用語「垂直」または「直角」は、９０°±５°を意味している。角度６４は、縦方向、または矢印６２によって示される標準の先行技術の方向に対してずれた角度を示している。典型的なパルスの広がりは、吹出管４０から角度６６で示されている。上記説明したように、矢印６２で示される先行技術の配置の排気噴流に由来する直径Ｄ１に対して、吹出管４０からの排気噴流は、多孔板２８の開口３０中の大きな表面積をふさぐ直径Ｄ２を生成する。図４に、多孔板２８に対するフィルタエレメント３２の代替の構成物を示す。図４の実施例では、フィルタエレメント３２は、多孔板の開口３０に対して角度７０でオフセット（ずれ）している。この構成は、多孔板の開口３０の平面６０でのパルス方向４８の角度６８よりもフィルタエレメント３２の面でより大きいパルス方向４８の角度６８をもたらす。
【００２２】
１つの有用な構成物は、以下の角度と寸法を有する。角度６４は２５°〜３５°であり、好ましくは２９°であり。角度５０と５２は等しく、１８°〜２５°であり、好ましくは２２°〜２３°である。第１プレート４４と第２プレート４６は、平行である。オフセット（ずれ）７２は、約１インチである。長さＬ１は約１６〜２０インチであり、好ましくは約１８.７５インチである。長さＬ２は約６〜１０インチであり、好ましくは約８.０インチである。
【００２３】
図５は別の実施例を示す。図５の概略図は、フィルタエレメント３２がきれいな空気チャンバ室１５内にどのように完全に配向されているを示している。この配向は、汚い空気が充満した空間中で流れ中のダストの直接の衝撃によってもたらされる媒体のすり減りまたは損傷を低減または排除するのを助けるのに役立つ。この構成物はまた、ダストと物質が蓄積しやすく最終的な洗浄を難しくする、汚い空気が充満した空間中の表面を排除することができる。追加の利点は、流路の障害物を除去することによって汚い空気が充満した空間中の空気流速度を下げることによって得られる。
【００２４】
図６は、別の例示の構成物を示している。図６では、フィルタエレメント３２は、汚い空気チャンバ室２２中に部分的にはみ出ていて、フィルタエレメント３２の残りは、きれいな空気チャンバ室１５中に配置されている。多孔板２８に対するフィルタエレメント３２の角度１００は、応用および/またはパルス設計の要求に依存するが、０°〜９０°であり得る。図６の構成物は、汚い空気が充満した空間中の流れ中のダストの直接の衝撃によってもたらされる媒体のすり減りまたは損傷を実質的に低減または排除するのを助けるという利点を有する。追加の利点は、流路の障害物を除去することによって汚い空気が充満した空間中の空気流速度を下げることによって得られる。
【００２５】
図７は、多孔板２８の複数の開口３０の各開口がパネル型フィルタ構成物１０１でふさがれるように、パネル型フィルタ構成物が配列している別の構成物を示す。図示された特定の実施例では、パネル型フィルタ構成物１０１は、１つのフィルタエレメント３２が多孔板２８中の対応する開口３０を占有する状態で複数の独立したパネル型フィルタエレメント３２を含んでいる。アキュムレータ構成物４２は、上記説明した複数のプレート４４、４６と類似の複数のプレート１０２を含んでいる。アキュムレータ構成物は、多孔板２８の各開口に対して、多孔板２８中の隣接する開口３０がプレート１０２の１つを共有する状態で、多孔板の開口の３０の対向する端部に隣接している第１プレートおよび第２プレート１０２を含んでいる。
【００２６】
図８は、パネル型フィルタエレメント３２がアキュムレータ構成物４２のプレート１０２を共有する状態で、一連のパネル型フィルタエレメント３２を複数の列および縦列にどのように配列することができるかを示す概略図である。図８の実施例では、プレート１０３は、パネル型フィルタエレメント３２の第１列１０４とパネル型フィルタエレメント３２の第２列１０５の間で共通に共有されるプレートである。
【００２７】
図９は、本開示の原理を示す別の概略図である。図９では、パネル型フィルタ構成物１０１はエアクリーナのハウジング１２内に取り付けられて示されている。パネル型フィルタ構成物１０１は、１つの長いフィルタエレメントであり得るし、または、一連の独立したパネル型フィルタエレメント３２である得る。図９に、ハウジングの幅が寸法線１０６で示されている。ハウジングの長さは寸法線１０７で示されている。寸法１０８は、フィルタ構成物１０１を取り付けるためのクランプを収容するために、エアクリーナのハウジング１２とパネル型フィルタフィルタ構成物の間の間隔を示している。したがって、この概略図は、寸法１１０×媒体寸法１０９によって占められる領域は、多孔板の総面積（寸法１０７×寸法１０６）との比較において大きいことを示している。
【００２８】
図１０は構成物の別の概略図である。図１０では、フィルタ構成物１０１は、フィルタのハウジング１２を満たすために結合された複数の長いパネル型フィルタエレメント３２を含んでいる。図１０の構成物は、先行技術の構成物と比べると、多孔板領域あたりの開口領域が大きい割合を有する。寸法１０９は、パネル型フィルタエレメント３２の幅である。寸法線１１０はパネル型フィルタエレメント３２の長さを示している。この構成物は、図９に類似しており、媒体によって占領される領域が多孔板の総面積との比較において大きいことを示している。
【００２９】
図１１と図１２は、フィルタのハウジング１２を満たすために結合された複数の短いパネル型フィルタエレメントを示している点を除いて、図１０と同様である。これらの実施例は、図１０の実施例と比べると、大きくて長いパネル型フィルタエレメント３２を有する図１０に示された概念よりも多孔板領域あたりの開口領域の割合は少ない。
【００３０】
図１３と図１４に更なる実施例を示す。図１３と図１４において、パネル型フィルタ構成物１０１は、複数の丸いフィルタエレメント３２（図１３）または楕円形フィルタエレメント３２（図１４）として図示されている。この構成物は、図１３と図１４の形状を図１０〜図１２の形状と比べることによってわかるように、主要な空気流に対して利用可能な多孔板空間の利用がそれほど効果的でない。しかしながら、図１３と図１４の構成物は、取り扱いと処分の両方のために小さいフィルタが望まれる場合に、本開示の原理の利点と有用性をまだ示している。
【図１】
2010511496.tif 000003
【図２】
2010511496.tif 000004
【図３】
2010511496.tif 000005
【図４】
2010511496.tif 000006
【図５】
2010511496.tif 000007
【図６】
2010511496.tif 000008
【図７】
2010511496.tif 000009
【図８】
2010511496.tif 000010
【図９】
2010511496.tif 000011
【図１０】
2010511496.tif 000012
【図１１】
2010511496.tif 000013
【図１２】
2010511496.tif 000014
【図１３】
2010511496.tif 000015
【図１４】
2010511496.tif 000016
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
（ａ）汚い空気の取入口ときれいな空気の出口と内部とを含むハウジングと、
（ｂ）複数の開口を有する前記ハウジングの内部の多孔板と、
（ｃ）前記多孔板の複数の開口の各開口をふさぐように配列されているパネル型フィルタ構成物と、
（ｄ）複数の吹出管の各吹出管が、前記パネル型フィルタ構成物によってふさがれている前記多孔板の複数の開口の各開口に流体パルスを送出するように配列されている、前記複数の吹出管であって、
（i）各吹出管は、内径を有しかつ前記多孔板から前記吹出管の前記内径の３０〜４０倍未満の距離に配置されており、
（ii）各吹出管は、前記パネル型フィルタ構成物によってふさがれている前記多孔板の複数の開口の各開口に流体パルスをある角度で送出するように配列されており、前記ある角度は、
（Ａ）前記多孔板の複数の開口面に垂直でなく、
（Ｂ）前記パネル型フィルタ構成物を通過するろ過流の通常の方向と一直線でなく、
（Ｃ）前記多孔板の複数の開口面に対して少なくとも約２５°でオフセットされた角度である、前記複数の吹出管と、
（ｅ）前記多孔板の下流側に前記多孔板の複数の開口に隣接して配列されたアキュムレータ構成物であって、
（i）前記多孔板の各開口に対して、前記多孔板の開口の対向する端部に隣接する第１および第２プレートを含み、
（Ａ）前記多孔板の隣接している開口は、同じ第１プレートまたは第２プレートを共有している、前記アキュムレータ構成物と、
を有することを特徴とするエアクリーナ。
【請求項２】
（ａ）前記第１プレートは、前記多孔板に対して第１角度で取り付けられており、前記第１角度は前記流体パルスの方向の中心線から約８５°以内であり、
（ｂ）前記第２プレートは、前記多孔板に対して第２角度で取り付けられており、前記第２角度は前記流体パルスの方向の中心線から約８５°以内であることを特徴とする請求項１に記載のエアクリーナ。
【請求項３】
（ａ）前記第１角度および前記第２角度は、等しいことを特徴とする請求項２に記載のエアクリーナ。
【請求項４】
（ａ）前記第１角度および前記第２角度は、等しくないことを特徴とする請求項２に記載のエアクリーナ。
【請求項５】
（ａ）前記第１角度および前記第２角度は、約８５°以内であり、互いに平行であることを特徴とする請求項２に記載のエアクリーナ。
【請求項６】
（ａ）前記パネル型フィルタ構成物は、前記多孔板の複数の開口のうちの１つの開口にそれぞれ取り付けられている複数の独立したパネル型フィルタを含み、
（ｂ）前記独立したパネル型フィルタは、ひだ付き媒体、ゼー媒体、デプス媒体、ＨＥＰＡ媒体、または、ミニＶ型パックのうちの少なくとも１つを含むことを特徴とする請求項１乃至５のうちのいずれか１項に記載のエアクリーナ。
【請求項７】
多孔板の複数の開口をふさぐように配列されているパネル型フィルタ構成物をパルス洗浄する方法であって、
（ａ）吹出管を通って多孔板の複数の開口に流体パルスを送出する送出工程であって、
各吹出管は、内径を有しかつ前記多孔板から前記吹出管の内径の３０〜４０倍未満の距離に配置されており、前記流体パルスは、前記吹出管を通って前記多孔板の複数の開口の各開口にある角度で送出され、前記ある角度が、
（i）前記多孔板の複数の開口面に垂直でなく、
（ii）前記パネル型フィルタ構成物を通過するろ過流の通常の方向と一直線でなく、
（iii）前記多孔板の複数の開口面に対して少なくとも約２５°でオフセットされた角度である、前記送出工程と、
（ｂ）前記多孔板のきれいな空気側で、かつ前記多孔板の複数の開口の各開口の対向する端部に隣接して配列された第１および第２プレートを使用して、前記流体パルスの少なくとも一部を捕集する捕集工程であって、
（i）前記多孔板の隣接する複数の開口が、同じ第１プレートまたは第２プレートを共有する、前記捕集工程と、
を有することを特徴とする方法。
【請求項８】
（ａ）前記送出工程は、前記パネル型フィルタ構成物に流体パルスを送出する工程を含み、前記パネル型フィルタ構成物は、前記多孔板の各開口に配列された複数の独立したパネル型フィルタを含むことを特徴とする請求項７に記載の方法。
【手続補正２】
【補正対象書類名】明細書
【補正対象項目名】００２１
【補正方法】変更
【補正の内容】
【００２１】
ここで図３を注目する。図３では、矢印６２は先行技術のパルス方向を示している。先行技術では、標準のパルス方向は、多孔板２８を含む平面６０に垂直または直角の方向である。用語「垂直」または「直角」は、９０°±５°を意味している。角度６３は、縦方向、または矢印６２によって示される標準の先行技術の方向に対してずれた角度を示している。典型的なパルスの広がりは、吹出管４０から角度６６で示されている。上記説明したように、矢印６２で示される先行技術の配置の排気噴流に由来する直径Ｄ１に対して、吹出管４０からの排気噴流は、多孔板２８の開口３０中の大きな表面積をふさぐ直径Ｄ２を生成する。図４に、多孔板２８に対するフィルタエレメント３２の代替の構成物を示す。図４の実施例では、フィルタエレメント３２は、多孔板の開口３０に対して角度７０でオフセット（ずれ）している。この構成は、多孔板の開口３０の平面６０でのパルス方向４８の角度６８よりもフィルタエレメント３２の面でより大きいパルス方向４８の角度６８をもたらす。
【手続補正３】
【補正対象書類名】図面
【補正対象項目名】図３
【補正方法】変更
【補正の内容】
【図３】
2010511496.tif 000017
【手続補正４】
【補正対象書類名】図面
【補正対象項目名】図４
【補正方法】変更
【補正の内容】
【図４】
2010511496.tif 000018
【国際調査報告】
2010511496.tif 000019
2010511496.tif 000020
2010511496.tif 000021